(57)【要約】【課題】通信する光信号の信頼性が高い光通信システムを提供する。【解決手段】光通信システムは、ノード装置Ｎが入力されて出力する光信号に自身のＩＤデータと出力する光伝送路ＦのＩＤデータとを付与するので、光信号により伝送されてきた光伝送路Ｆとノード装置Ｎとが判明する。このため、ノード装置Ｎが光信号をクライアント信号として分割したプロテクション信号も相違する光伝送路Ｆに出力した場合、クライアント信号とプロテクション信号とで共通する光伝送路Ｆやノード装置Ｎが判明する。このようにクライアント信号とプロテクション信号とで共通する光伝送路Ｆやノード装置Ｎは光信号の信頼性を低下させるので、これを検出して警告を出力するようなことができる。【選択図】図１
2012054753.tif 000002
【特許請求の範囲】
【請求項１】
入力された光信号のまま波長を方路切換して出力する複数のノード装置が複数の光伝送路でネットワーク状に接続されている光通信システムであって、
複数の前記ノード装置と複数の前記光伝送路との各々にＩＤ(Identity)データが設定されており、
前記ノード装置は入力されて出力する前記光信号に自身のＩＤデータと出力する前記光伝送路のＩＤデータとを付与する光通信システム。
【請求項２】
前記ノード装置は入力されて出力する前記光信号をクライアント信号として分割したプロテクション信号も相違する前記光伝送路に出力し、
前記光信号に付与されている前記ＩＤデータの重複を検出する重複検出手段と、
重複が検出されると前記光信号の信頼性が低いことを警告する警告出力手段と、
を有する請求項１に記載の光通信システム。
【請求項３】
検出された前記ＩＤデータの重複を解消する前記光伝送路を前記ノード装置が選択する請求項２に記載の光通信システム。
【請求項４】
前記ノード装置が、ＷＤＭ(Wavelength-Division Multiplexed)装置、ＲＯＡＤＭ（Reconfigurable Optical Add/Drop Multiplexer）装置、光クロスコネクト装置、の少なくとも一個からなる請求項１ないし３の何れか一項に記載の光通信システム。
【請求項５】
請求項１ないし４の何れか一項に記載の光通信システムのノード装置であって、
入力されて出力する前記光信号に自身のＩＤデータと出力する前記光伝送路のＩＤデータとを付与するノード装置。
【発明の詳細な説明】
【技術分野】
【０００１】
本発明は、入力された光信号のまま波長を方路切換して出力する複数のノード装置が複数の光伝送路でネットワーク状に接続されている光通信システム、そのノード装置、に関する。
【背景技術】
【０００２】
現在、ＷＤＭ(Wavelength-Division Multiplexed)装置、ＲＯＡＤＭ（Reconfigurable Optical Add/Drop Multiplexer）装置または光クロスコネクト装置は波長信号と伝送されている送路情報をリンクさせた管理を行っていない（特許文献１）。
【先行技術文献】
【特許文献】
【０００３】
【特許文献１】特開２００３−２０９８６４号公報
【発明の概要】
【発明が解決しようとする課題】
【０００４】
従来、ＷＤＭ装置、ＲＯＡＤＭ装置または光クロスコネクト装置では多重された波長は伝送されている伝送ファイバを管理していない。このため、図１に示すように、Ｓ１のプロテクション信号であるＳ２信号をλ２に変換して伝送する場合、伝送路の光伝送路Ｆ３で重複している状態を認識できない。
【０００５】
従って、光伝送路Ｆ３が障害に陥った場合、λ１信号だけでなく、その予備の信号パスであるλ２も同時に障害となり、信号が断になってしまい、信号の信頼性が低くなる問題があった。また、波長と送路情報を装置で生成するには各装置が全ての装置と情報の交換を行わなければならなかった。
【０００６】
本発明は上述のような課題に鑑みてなされたものであり、光信号のまま波長の方路切換機能にノード装置を用いた光通信システムで、伝送路であるファイバと、その中を伝送される波長信号を一元的に管理し、重畳しているリスク警報を発出し、信頼性を向上させた光通信システムを提供するものである。
【課題を解決するための手段】
【０００７】
本発明の光通信システムは、入力された光信号のまま波長を方路切換して出力する複数のノード装置が複数の光伝送路でネットワーク状に接続されている光通信システムであって、複数のノード装置と複数の光伝送路との各々にＩＤ(Identity)データが設定されており、ノード装置は入力されて出力する光信号に自身のＩＤデータと出力する光伝送路のＩＤデータとを付与する。
【０００８】
本発明のノード装置は、本発明の光通信システムのノード装置であって、入力されて出力する光信号に自身のＩＤデータと出力する光伝送路のＩＤデータとを付与する。
【発明の効果】
【０００９】
本発明の光通信システムでは、ノード装置が入力されて出力する光信号に自身のＩＤデータと出力する光伝送路のＩＤデータとを付与するので、光信号により伝送されてきた光伝送路とノード装置とが判明する。このため、ノード装置が光信号をクライアント信号として分割したプロテクション信号も相違する光伝送路に出力した場合、クライアント信号とプロテクション信号とで共通する光伝送路やノード装置が判明する。このようにクライアント信号とプロテクション信号とで共通する光伝送路やノード装置は光信号の信頼性を低下させるので、これを検出して警告を出力するようなことができる。
【図面の簡単な説明】
【００１０】
【図１】本発明の実施の形態の光通信システムの光通信ネットワークを示す模式図である。
【図２】光通信ネットワークを示す模式図である。
【図３】光通信システムの論理構造を示す模式的なブロック図である。
【図４】光通信システムの処理動作を示すフローチャートである。
【発明を実施するための形態】
【００１１】
本発明の実施の一形態を図面を参照して以下に説明する。本実施の形態の光通信システム１００は、図１に示すように、入力された光信号のまま波長を方路切換して出力する複数のノード装置Ｎ１〜Ｎ７が複数の光伝送路Ｆ１〜Ｆ１０でネットワーク状に接続されている。
【００１２】
この光通信システム１００は、複数のノード装置Ｎと複数の光伝送路Ｆとの各々にＩＤデータが設定されており、ノード装置Ｎは入力されて出力する光信号に自身のＩＤデータと出力する光伝送路ＦのＩＤデータとを付与する。
【００１３】
なお、ノード装置Ｎは入力されて出力する光信号をクライアント信号として分割したプロテクション信号も相違する光伝送路Ｆに出力する。そこで、本実施の形態の光通信システム１００は、図３に示すように、ノード装置Ｎに入力されるクライアント信号とプロテクション信号とに付与されているＩＤデータの重複を検出する重複検出部１１０と、重複が検出されると光信号の信頼性が低いことを警告する警告出力部１２０と、警告が出力されると光伝送路Ｆを変更する送路変更部１３０と、を有する。
【００１４】
さらに、本実施の形態の光通信システム１００は、図２に示すように、検出されたＩＤデータの重複を解消する光伝送路Ｆをノード装置Ｎが選択する。なお、このようなノード装置Ｎは、ＷＤＭ装置、ＲＯＡＤＭ装置、光クロスコネクト装置、の少なくとも一個からなる。
【００１５】
このため、本実施の形態の光通信システム１００は、図４に示すように、ノード装置Ｎにクライアント信号とプロテクション信号とが入力されると(ステップＳ１−Ｙ)、その重複を検出する(ステップＳ２)。
【００１６】
それで重複が検出されなければ(ステップＳ２−Ｎ)、クライアント信号とプロテクション信号とは別々の光伝送路Ｆに出力される。一方、重複が検出されると(ステップＳ２−Ｙ)、警告が出力される(ステップＳ３)。
【００１７】
本実施の形態の光通信システム１００は、上述のように警告が出力されると(ステップＳ３)、そのクライアント信号とプロテクション信号との重複が解消されるように光伝送路が変更される(ステップＳ４)。
【００１８】
より具体的には、クライアント信号Ｓ１がＷＤＭ装置、ＲＯＡＤＭ装置または光クロスコネクト装置等からなるノード装置Ｎ１に入力し、波長λ１に変換され光ファイバからなる光伝送路Ｆ１に送出される。
【００１９】
該装置は装置情報Ｎ１と該装置Ｎ１に接続されている伝送路の送路情報Ｆ１、Ｆ７は設定情報として入力されているので装置Ｎ１はλ１Ｎ１Ｆ１の情報を生成することが可能となる。
【００２０】
光信号のまま波長の方路切換を行うノード装置Ｎ２も同様に波長λ１がＦ１から送られてきて光伝送路Ｆ２に波長λ１の方路を切り換えて送出しているのでＦ１Ｎ２Ｆ２を生成する。
【００２１】
同様にノード装置Ｎ３はＦ２Ｎ３Ｆ３を生成する。ノード装置Ｎ４は波長λ１信号を光伝送路Ｆ３から受信し、該波長λ１をクライアント信号Ｓ１として出力する。よってＮ４はＦ３Ｎ４λ１を生成する。
【００２２】
それぞれのノード装置Ｎで生成した情報を隣接するノード装置Ｎと共有し、結合していくことによりノード装置Ｎ１はλ１Ｎ１Ｆ１とノード装置Ｎ２からもらったＦ１Ｎ２Ｆ２をマージしλ１Ｎ１Ｆ１Ｎ２Ｆ２を生成する。
【００２３】
ノード装置Ｎ２はノード装置Ｎ１とノード装置Ｎ３の情報からλ１Ｎ１Ｆ１Ｎ２Ｆ２Ｎ３Ｆ３を生成する。この時点でノード装置Ｎ３はノード装置Ｎ２とノード装置Ｎ４から情報をマージしてＦ１Ｎ２Ｆ２Ｎ３Ｆ３Ｎ４λ１となる。
【００２４】
この情報をノード装置Ｎ２がノード装置Ｎ１の情報からマージした情報と合わせて最終的にクライアント信号が入力した装置からクライアント信号を出力する装置までの各装置はλ１から始まりλ１で完了するλ１Ｎ１Ｆ１Ｎ２Ｆ２Ｎ３Ｆ３Ｎ４λ１を合成する。
【００２５】
これにより隣り合う装置でマージした情報を合成することにより各装置はλ１信号がノード装置Ｎ１から光伝送路Ｆ１に送出されたあと、ノード装置Ｎ２から光伝送路Ｆ２を経由してノード装置Ｎ３へ、さらに光伝送路Ｆ３を経由してノード装置Ｎ４でクライアント信号として出力されていることが各ノード装置Ｎで認識できる。
【００２６】
図１で信号Ｓ１のプロテクション信号Ｓ２をノード装置Ｎ１で波長λ２に変換し、光伝送路Ｆ７に送出し、ノード装置Ｎ６で方路を光伝送路Ｆ８に切り換えて、ノード装置Ｎ５で光伝送路Ｆ４に切り換え、ノード装置Ｎ３で光伝送路Ｆ３に方路を切り換え、ノード装置Ｎ４でλ２を出力するように方路切換を行った場合、λ２Ｎ１Ｆ７Ｎ６Ｆ８Ｎ５Ｆ４Ｎ３Ｆ３Ｎ４λ２が各ノード装置Ｎで生成できる。
【００２７】
λ１とλ２の情報を比較すると入力装置がノード装置Ｎ１で出力装置がノード装置Ｎ４と同じで、しかも両波長とも光伝送路Ｆ３を使用していることがわかる。本来信号Ｓ１のプロテクション信号Ｓ２を伝送している波長２が主信号Ｓ１を伝送している波長１と同じ光伝送路Ｆ３を使用しているので、光伝送路Ｆ３に障害があったときに両信号とも障害になる危険があることがわかり信頼性が低いという警告を発し、図２に示すように重複を避けるようなネットワーク設計が可能となる。
【００２８】
なお、本発明は本実施の形態に限定されるものではなく、その要旨を逸脱しない範囲で各種の変形を許容する。また、上述した実施の形態では、各部の構造などを具体的に説明したが、その構造などは本願発明を満足する範囲で各種に変更することができる。
【符号の説明】
【００２９】
１００    光通信システム
１１０    重複検出部
１２０    警告出力部
１３０    送路変更部
Ｆ１〜Ｆ１０    光伝送路
Ｎ１〜Ｎ７    ノード装置
【図１】
2012054753.tif 000003
【図２】
2012054753.tif 000004
【図３】
2012054753.tif 000005
【図４】
2012054753.tif 000006